(57)【要約】【課題】本発明は、塗る方向が限定されず、且つ塗料が外部に飛散しない吹き付け塗料飛散防止具を提供することを目的とする。【解決手段】本発明の吹き付け塗料飛散防止具は、多数の金属棒の組合せにより立体形状に形成された容器枠１と、該容器枠１の側面を覆う網目状のネット１２と、前記容器枠１の上部中央に前記容器枠１の金属棒の先端を上方に折曲げて形成した先端部に溶接固定したノズル嵌合環９と、前記容器枠１の金属棒の下端に取付固定され、前記容器枠１の立体形状の底部を囲むように形成される刷毛取付枠体１１と、該刷毛取付枠体１１に下方部を塞ぐように取付固定された刷毛１５とからなるものである。【選択図】  図１
2004243176.tif 000002
【特許請求の範囲】
【請求項１】
多数の金属棒の組合せにより立体形状に形成された容器枠と、該容器枠の側面を覆う網目状のネットと、前記容器枠の上部中央に前記容器枠の金属棒の先端を上方に折曲げて形成した先端部に溶接固定したノズル嵌合環と、前記容器枠の金属棒の下端に取付固定され、前記容器枠の立体形状の底部を囲むように形成される刷毛取付枠体と、該刷毛取付枠体に下方部を塞ぐように取付固定された刷毛とからなることを特徴とする吹き付け塗料飛散防止具。
【発明の詳細な説明】
【０００１】
【発明の属する技術分野】
本発明は、噴霧された塗料を外部に飛散させることなく塗装面に効率よく付着させる吹き付け塗料飛散防止具に関する。
【０００２】
【従来の技術】
従来、コーン状に形成した主体の中央部に嵌合孔を形成してなる飛散防止板を設け、該飛散防止板の嵌合孔にスプレーガンからなる塗料噴霧機のノズル部を嵌合させて取り付け、塗料噴霧機のノズル部からの塗料を塗装面に向けて噴出させて塗装するものがあった。
しかし、従来技術は、塗料噴霧機のノズル部から噴出した塗料が塗装面から跳ね返ってきた際に、ノズル部方向に飛散する塗料は飛散防止板に衝突してそれ以上の飛散が防止されるが、塗装面に沿う周方向に飛散する塗料は隙間から噴きだし飛散を防止することができなかった。
そのため、従来技術を改良した公知技術として、実公平７−１１８１１号公報がある。
【０００３】
【特許文献】
前記実公平７−１１８１１号公報は、図５に示すように、底面が開口した容器状のカバー（２）を設け、該カバー（２）の上面の中央部に塗料噴霧機（１２）のノズル部（１３）が嵌合する嵌合孔（４ａ）を設け、前記カバー（２）の底面の縁部に沿って多数のローラ刷毛（１１）を並列かつ外周面同士を互いに接近させて回転自在に設けると共に、前記ローラ刷毛（１１）の支軸を前記カバー（２）によって支持した噴霧塗料の飛散防止具である。
【０００４】
【発明が解決しようとする課題】
前記噴霧塗料の飛散防止具は、容器形状に形成したカバーの開口縁部に沿って多数のローラ刷毛を敷き詰めて取り付け、ノズル部と対面する塗装面がローラ刷毛によって囲まれて外部から遮断され、ノズル部から塗装面に向けて噴出された塗料が外部に飛散しなくなるし、しかも塗装面に付着した塗料はローラ刷毛によって展延される。
しかしながら、前記噴霧塗料の飛散防止具はノズル部から噴霧された塗料を塗装面に塗るのに、常にローラ軸に直交する方向にローラ刷毛を回転させなければならず、塗る方向が一方向に限定されているため不便であった。
そこで、本発明は、塗る方向が限定されず、且つ塗料が外部に飛散しない吹き付け塗料飛散防止具を提供することを目的とする。
【０００５】
【課題を解決するための手段】
本発明の吹き付け塗料飛散防止具は、多数の金属棒の組合せにより立体形状に形成された容器枠と、該容器枠の側面を覆う網目状のネットと、前記容器枠の上部中央に前記容器枠の金属棒の先端を上方に折曲げて形成した先端部に溶接固定したノズル嵌合環と、前記容器枠の金属棒の下端に取付固定され、前記容器枠の立体形状の底部を囲むように形成される刷毛取付枠体と、該刷毛取付枠体に下方部を塞ぐように取付固定された刷毛とからなるものである。
【０００６】
【発明の実施の形態】
本発明の吹き付け塗料飛散防止具は、多数の金属棒の組合せにより立体形状に形成された容器枠と、該容器枠の内側面又は外側面を覆う網目状のネットと、前記容器枠の上部中央に前記容器枠の金属棒の先端を上方に折曲げて形成した先端部に溶接固定したノズル嵌合環と、前記容器枠の金属棒の下端に取付固定され、前記容器枠の立体形状の底部を囲むように形成される刷毛取付枠体と、該刷毛取付枠体に下方部を塞ぐように取付固定された刷毛とから構成される。
前記容器枠は、網目状のネットにより側面を覆われた円筒形、多角筒形などの立体形状をなし、上面及び下面が開口される。
また、前記網目状のネットは、噴霧された塗料が外部に飛散しない編目（メッシュ）とし、金属製又はプラスチック製材料から形成される。
【０００７】
【実施例】
以下、本発明の吹き付け塗料飛散防止具の一実施例を図面に基づいて説明するが、これに限定されるものではない。
図２の正面図、図３の平面図、図４の側面図に示すように、容器枠１は、四隅に立設する４本の隅枠棒２と中央部に立設する２本の中央棒３とを組み立てた合計６本の金属棒からなる４角筒形状をなし、四隅の各隅枠棒２は、側壁となる垂直部４と該垂直部４上部に直角に一体に折り曲げられ、図３に示す上方開口を対角線上に延ばされた水平部５とからなり、さらに水平部５の先端を上方に折曲げて形成した先端部６とを備える。
また、前記隅枠棒２と同様に、中央部の各中央棒３は、側壁となる垂直部４と該垂直部４上部に直角に一体に折り曲げられた水平部５とからなり、さらに水平部５の先端を上方に折曲げて形成した先端部６とを備える。
なお、前記先端部６には、図３に示す後述するノズル嵌合環９が内側に溶接され、塗料噴霧機のノズル部が嵌合する円形の嵌合孔１０が形成されるように各々の先端部６が配置される。
【０００８】
図２に示すように、前記隅枠棒２及び中央棒３の下端部には、各垂直部４を相互に連結支持する矩形のリング棒７が溶接固定され、さらにネジ孔を中央に備えた取付金具８が前記隅枠棒２及び中央棒３の下端に溶接固定される。
なお、前記取付金具８には、後述する刷毛取付枠体１１がネジ締め固定される。
図３に示すように、ノズル嵌合環９は、円環帯を前記隅枠棒２及び中央棒３の先端部６内側に溶接固定され、図１に示す塗料噴霧機１６のノズル部１７が嵌合する口径の嵌合孔１０に形成される。
【０００９】
また、ネット１２は、金属製又はプラスチック製材料から形成され、噴霧された塗料が外部に飛散しない編目（メッシュ）とし、図１に示すように、前記隅枠棒２及び中央棒３の内側を覆い、金属線１８等でネット１２の網目を利用して前記隅枠棒２及び中央棒３に固定する。
刷毛取付枠体１１は、図３に示すように、刷毛１５を装着できる所定幅で配置される内側矩形帯枠１３と外側矩形帯枠１４とよりなり、前記隅枠棒２及び中央棒３の下端に溶接固定された取付金具８にネジ締め固定されることにより、前記容器枠１の立体形状の底部を囲むように形成される。
刷毛１５は、塗装用の天然毛又は人工毛を使用するもので、前記刷毛取付枠体１１に四周囲を下方塞ぐように取付固定され、前記取付金具８にネジ締め固定される内側矩形帯枠１３と外側矩形帯枠１４と挟持された状態で刷毛１５が取り付けられる。
【００１０】
次に、本発明の吹き付け塗料飛散防止具の使用方法を図面に基づいて説明する。
図１に示すように、塗料噴霧機１６のノズル部１７をノズル嵌合環９に嵌合させて吹き付け塗料飛散防止具の容器枠１を塗料噴霧機１６に装着する。
この状態で刷毛１５を塗装面、例えば凹凸面に接触させると、刷毛１５により塗装面の周囲が囲まれるので、噴霧した塗料が塗装面の周囲から外部に飛散することはない。
つぎに、塗装面の位置をネット１２の網目を透して又は上方の開口部から確認して塗料噴霧機１６のノズル部１７から塗料を噴霧すると、噴霧された塗料は塗装面に付着する。
さらに、塗装面に塗料を噴霧しながら塗料噴霧機１６のノズル部１７を移動すると、一緒に吹き付け塗料飛散防止具の容器枠１も移動する。
【００１１】
そして、吹き付け塗料飛散防止具の容器枠１の周りを刷毛１５で覆われ、吹き付けと同時に刷毛１５で撫でられるので、塗装面に付着した塗料を刷毛１５で均一な厚さに展延することができる。
また、塗装面に付着せず、舞い上がった塗料はネット１２により外部への飛散が防止され、吹き付け面以外には塗料が飛散しないので周囲を汚すことがない。なお、塗装作業時に、ネット１２に塗料が付着して網目を透して塗装面の位置が確認できない場合でも、上方が開口されているので上方から塗装面の位置を確認することができる。
【００１２】
【効果】
以上述べた如く、本発明の吹き付け塗料飛散防止具は、周囲への飛散が廻りを囲われているので、養生の手間が掛からず、能率抜群である。
また、本発明の吹き付け塗料飛散防止具は、刷毛で同時に撫でるので、かなり濃い塗料でも吹き付け出来、白色やパステルカラーでも楽に出来る。
さらに、本発明の吹き付け塗料飛散防止具は、凹凸面、入り隅面でも一様の厚みの塗膜で綺麗に仕上がる。
【図面の簡単な説明】
【図１】本発明の吹き付け塗料飛散防止具の使用状態の正面図である。
【図２】本発明の吹き付け塗料飛散防止具の正面図である。
【図３】本発明の吹き付け塗料飛散防止具の平面図である。
【図４】本発明の吹き付け塗料飛散防止具の側面図である。
【図５】従来の噴霧塗料の飛散防止具の使用状態の説明図である。
【符号の説明】
１  容器枠
２  隅枠棒
３  中央棒
４  垂直部
５  水平部
６  先端部
７  リング棒
８  取付金具
９  ノズル嵌合環
１０  嵌合孔
１１  刷毛取付枠体
１２  ネット
１３  内側矩形帯枠
１４  外側矩形帯枠
１５  刷毛
１６  塗料噴霧機
１７  ノズル部
１８  金属線
【図１】
2004243176.tif 000003
【図２】
2004243176.tif 000004
【図３】
2004243176.tif 000005
【図４】
2004243176.tif 000006
【図５】
2004243176.tif 000007